(57)【特許請求の範囲】
【請求項１】
送信ノードが含むアンテナポートの数を通知する、無線通信システムにおける方法であって、前記方法は、
前記送信ノードの、少なくとも１つのアンテナポートの数に関する情報を運ぶ通信信号を送信することを含み、ここで、少なくとも１つのアンテナポートの数に関する前記情報は、分割され、前記通信信号の少なくとも２つの事前定義された部分にわたって分配され、
前記通信信号の、事前定義された第１の部分は、前記送信ノードが含む、第１のタイプのアンテナポートに対応する、少なくとも１つのアンテナポートの第１の数を通知することに対応し、前記通信信号の、事前定義された第２の部分は、前記送信ノードが含む、第２のタイプのアンテナポートに対応するアンテナポートの第２の数を通知することに対応し、ここで、前記第１及び第２のタイプのアンテナポートは互いに異なり、
前記第１のタイプのアンテナポートは、第１の組の共通リファレンス信号によって定義され、前記第２のタイプのアンテナポートは、第２の組の共通リファレンス信号によって定義され、前記第１及び第２の組の共通リファレンス信号は互いに異なり、
前記無線通信システムは、セルラ通信システムであり、前記第１及び／又は第２の組の共通リファレンス信号に属する共通リファレンス信号は、セル固有共通リファレンス信号であり、
前記第１の組の共通リファレンス信号に属する前記共通リファレンス信号は、復調及び／又はチャネル測定のために使用され、前記第２の組の共通リファレンス信号に属する前記共通リファレンス信号は、疎に分布し、チャネル測定のみのために使用されることを特徴とする、方法。
【請求項２】
前記通信信号は、マスキングされた巡回冗長検査パリティビットが添付された、情報ビットの組である、請求項１に記載の方法。
【請求項３】
前記通信信号の、前記事前定義された第１の部分は、少なくとも１つのアンテナポートの前記第１の数に対応する、巡回冗長検査マスクを含む、請求項２に記載の方法。
【請求項４】
少なくとも１つのアンテナポートの前記第１の数は、１、２、又は４である、請求項３に記載の方法。
【請求項５】
前記通信信号の、前記事前定義された第２の部分は、アンテナポートの前記第２の数を示す、前記情報ビットの組に属する少なくとも１つの明示的ビットを含む、請求項３に記載の方法。
【請求項６】
アンテナポートの前記第２の数は、０、２、４、又は８である、請求項５に記載の方法。
【請求項７】
前記通信信号は、物理ブロードキャストチャネル上で送信される、請求項２〜６のいずれか一項に記載の方法。
【請求項８】
前記通信信号の、前記事前定義された第１の部分は、第１のチャネル上で送信され、前記通信信号の、前記事前定義された第２の部分は、第２のチャネル上で送信され、前記第２のチャネルは、前記通信信号の、前記第１の部分によって示される前記第１のタイプのアンテナポートのうちの少なくとも１つの上で送信される、請求項１に記載の方法。
【請求項９】
送信ノードが含むアンテナポートの数を示す信号を受信する、無線通信システム内の受信ノードにおける方法であって、前記方法は、
前記受信ノードが、前記送信ノードの、少なくとも１つのアンテナポートの数に関する情報を運ぶ、通信信号を受信することを含み、ここで、少なくとも１つのアンテナポートの数に関する前記情報は、分割され、前記通信信号の、少なくとも２つの事前定義された部分にわたって分配され、
前記通信信号の、事前定義された第１の部分は、前記送信ノードが含む、第１のタイプのアンテナポートに対応する、少なくとも１つのアンテナポートの第１の数を通知することに対応し、前記通信信号の、事前定義された第２の部分は、前記送信ノードが含む、第２のタイプのアンテナポートに対応するアンテナポートの第２の数を通知することに対応し、ここで、前記第１及び第２のタイプのアンテナポートは互いに異なり、
前記第１のタイプのアンテナポートは、第１の組の共通リファレンス信号によって定義され、前記第２のタイプのアンテナポートは、第２の組の共通リファレンス信号によって定義され、前記第１及び第２の組の共通リファレンス信号は互いに異なり、
前記無線通信システムは、セルラ通信システムであり、前記第１及び／又は第２の組の共通リファレンス信号に属する共通リファレンス信号は、セル固有共通リファレンス信号であり、
前記第１の組の共通リファレンス信号に属する前記共通リファレンス信号は、復調及び／又はチャネル測定のために使用され、前記第２の組の共通リファレンス信号に属する前記共通リファレンス信号は、疎に分布し、チャネル測定のみのために使用されることを特徴とする、方法。
【請求項１０】
コンピュータ内で実行された場合に、請求項１〜９のいずれか一項に記載の方法を前記コンピュータに実行させるコード手段を含むことを特徴とする、コンピュータプログラム。
【請求項１１】
請求項１０に記載のコンピュータプログラムを含む、コンピュータ読み取り可能な媒体であって、前記コンピュータ読み取り可能な媒体は、読み出し専用メモリ、プログラマブルＲＯＭ、消去可能ＰＲＯＭ、フラッシュメモリ、電気的ＥＰＲＯＭ、及びハードディスクドライブという群からの１つ又は複数からなる、コンピュータ読み取り可能な媒体。
【請求項１２】
送信ノードが含むアンテナポートの数を通知する、無線通信システム内の前記送信ノードであって、
前記送信ノードは、前記送信ノードの少なくとも１つのアンテナポートの数に関する情報を運ぶ、前記無線通信システム内の通信信号を提供及び送信するように構成され、ここで、少なくとも１つのアンテナポートの数に関する前記情報は、分割され、前記通信信号の少なくとも２つの事前定義された部分にわたって分配され、
前記通信信号の、事前定義された第１の部分は、前記送信ノードが含む、第１のタイプのアンテナポートに対応する、少なくとも１つのアンテナポートの第１の数を通知することに対応し、前記通信信号の、事前定義された第２の部分は、前記送信ノードが含む、第２のタイプのアンテナポートに対応するアンテナポートの第２の数を通知することに対応し、ここで、前記第１及び第２のタイプのアンテナポートは互いに異なり、
前記第１のタイプのアンテナポートは、第１の組の共通リファレンス信号によって定義され、前記第２のタイプのアンテナポートは、第２の組の共通リファレンス信号によって定義され、前記第１及び第２の組の共通リファレンス信号は互いに異なり、
前記無線通信システムは、セルラ通信システムであり、前記第１及び／又は第２の組の共通リファレンス信号に属する共通リファレンス信号は、セル固有共通リファレンス信号であり、
前記第１の組の共通リファレンス信号に属する前記共通リファレンス信号は、復調及び／又はチャネル測定のために使用され、前記第２の組の共通リファレンス信号に属する前記共通リファレンス信号は、疎に分布し、チャネル測定のみのために使用されることを特徴とする、送信ノード。
【請求項１３】
送信ノードが含むアンテナポートの数を示す信号を受信する、無線通信システム内の受信ノードであって、
前記受信ノードは、前記送信ノードの、少なくとも１つのアンテナポートの数に関する情報を運ぶ通信信号を受信及び処理するように構成され、ここで、少なくとも１つのアンテナポートの数に関する前記情報は、分割され、前記通信信号の少なくとも２つの事前定義された部分にわたって分配され、
前記通信信号の、事前定義された第１の部分は、前記送信ノードが含む、第１のタイプのアンテナポートに対応する、少なくとも１つのアンテナポートの第１の数を通知することに対応し、前記通信信号の、事前定義された第２の部分は、前記送信ノードが含む、第２のタイプのアンテナポートに対応するアンテナポートの第２の数を通知することに対応し、ここで、前記第１及び第２のタイプのアンテナポートは互いに異なり、
前記第１のタイプのアンテナポートは、第１の組の共通リファレンス信号によって定義され、前記第２のタイプのアンテナポートは、第２の組の共通リファレンス信号によって定義され、前記第１及び第２の組の共通リファレンス信号は互いに異なり、
前記無線通信システムは、セルラ通信システムであり、前記第１及び／又は第２の組の共通リファレンス信号に属する共通リファレンス信号は、セル固有共通リファレンス信号であり、
前記第１の組の共通リファレンス信号に属する前記共通リファレンス信号は、復調及び／又はチャネル測定のために使用され、前記第２の組の共通リファレンス信号に属する前記共通リファレンス信号は、疎に分布し、チャネル測定のみのために使用されることを特徴とする、受信ノード。
【発明の詳細な説明】
【技術分野】
【０００１】
本発明は、アンテナポートの数を通知（ｓｉｇｎａｌｌｉｎｇ）する、無線通信システムにおける方法に関し、特に、請求項１のプリアンブルによる方法に関する。更に、本発明は、送信ノード、及び受信ノード、並びにそれらの方法にも関する。
【背景技術】
【０００２】
無線セルラ通信システムにおいては、所与のセル内の移動端末において、チャネル測定のため、又は、コヒーレント復調及びチャネル測定のために、１つ又は複数の下りリンク（ＤＬ）共通リファレンス信号（ＣＲＳ）が使用されてもよい。移動端末は、一部の無線通信システムにおいては、ユーザ装置（ＵＥ）としても表される。各ＣＲＳは、所与のセル内の、いわゆるアンテナポートを定義し、アンテナポートを実施する一般的なやり方は、アンテナポートを、物理的送信アンテナと関連付けることである。
【０００３】
様々なアンテナポートのリファレンス信号（ＲＳ）は、対応する伝播チャネル係数（すなわち、各送信アンテナから各受信アンテナまでの伝播チャネル）の、干渉のない識別を可能にするために、互いに直交していなければならない。異なるセル内のＲＳ間の干渉を最小にするために、ＲＳは、通常、セル固有である。一般性を失うことなく、本明細書全体を通して、アンテナポートは、ＣＲＳ又はセル固有ＣＲＳによって定義される。セル固有ＣＲＳは、それらが、各アンテナポートからのチャネルを測定するために、セル内の複数のＵＥによって使用されることを意味している。アンテナポートは、ユーザ固有であってもよく、これは、それらのアンテナポートが、特定の単一のＵＥによって、測定及び／又は復調のために使用されることを意味している。
【０００４】
ＣＲＳは、時間及び周波数リソースエレメント（ｔｉｍｅ  ａｎｄ  ｆｒｅｑｕｅｎｃｙ  Ｒｅｓｏｕｒｃｅ  Ｅｌｅｍｅｎｔｓ）（ＲＥ）、コード（ｃｏｄｅｓ）などの、セルの排他的に予約されたリソース上で送信される。ＲＳとの干渉（これは、そのアンテナポートからのチャネル伝播係数の推定を妨げる）を回避するために、データは、それらの予約されたリソース上では送信されない。
【０００５】
ＤＬ  ＣＲＳを正しく使用すること、及び、ｅＮＢなどの、基地局との標準的な通信を実行することが可能であるためには、ＤＬチャネル測定及び／又はＤＬ伝送のために使用されるアンテナポートの数は、ＵＥが認識する必要がある非常に重要な情報である。ＵＥが、セル内で使用されるアンテナポートの数に関する情報を取得した後、ＵＥは、どの伝送モードが各物理チャネルのために使用されるかについて、および、どのリソースがデータ伝送のために使用され、どのリソースがＤＬ  ＣＲＳのために使用されるか、について認識する。これは、受信されたデータがＣＲＳによって破壊されることを回避するための重要な情報である。その理由は、ＵＥが無線リソース内の全てのＣＲＳを認識していない場合、ＵＥは、実際にはＣＲＳ伝送が行われているリソース上での、データの受信を想定し、これにより、ＣＲＳからの干渉によって、データ受信の性能が低下するからである。
【０００６】
更に、ＣＲＳの数を認識することは、ＣＲＳを使用して複数のチャネルを測定するため、及び、物理チャネルを検出するため、などにも重要である。ロングタームエボリューション（ＬＴＥ）リリース８（Ｒｅｌ−８）標準では、アンテナポートの数に関する情報は、物理ブロードキャストチャネル（ＰＢＣＨ）上で送信される信号内に埋め込まれる。正常なセルサーチ手順の後、ＵＥは、セルとの時間及び周波数同期化と、セルのセルアイデンティティ（ＩＤ）とを取得し、次に、ＵＥは、ＰＢＣＨの検出を開始して、セル固有情報、及びアンテナポートの数を取得する。
【０００７】
ＬＴＥ  Ｒｅｌ−８標準では、１つ、２つ、及び４つのアンテナポートを定義する、３つのタイプのセル固有ＣＲＳがサポートされる（３ＧＰＰ  ＴＳ  ３６．２１１  ｖ８．４．０）。セル内のアンテナポートの数は、前記セル内のｅＮＢによってサポートされる複数入力複数出力（ＭＩＭＯ）伝送レイヤの最大数を決定する。例えば、セル内に４つのアンテナポートがある場合、最大４つのＭＩＭＯレイヤの伝送を、ｅＮＢによってサポートすることが可能である。アンテナポートの数に関する情報は、アンテナポートの数を示すための様々な巡回冗長検査（ＣＲＣ）マスクを使用することによって、ＰＢＣＨ上で送信される信号内に埋め込まれる。ＵＥは、セル内で使用されるアンテナポートの数（すなわち、ＰＢＣＨのトランスポートブロックの、使用されるＣＲＣマスク）に関する事前情報を有さないため、ＵＥは、その情報のブラインド検出を行わなければならない。これは、ＵＥが、全ての可能なＣＲＣマスクを検査し、受信されたＰＢＣＨ信号上の、最も可能性の高い条件のマスクを選択しなければならない、ということを意味している。
【０００８】
ＬＴＥ  Ｒｅｌ−８システムの場合の、送信側における、アンテナポートの数に関する情報をＰＢＣＨ内に埋め込む操作と、受信側における、ＰＢＣＨの、対応するブラインド検出とについて、以下に説明する。
【０００９】
最初に、送信側において、ＰＢＣＨのトランスポートブロックビット全体ａ０，ａ１，・・・ａＡ−１が、ＣＲＣパリティビットｐ０，ｐ１，・・・ｐＬ−１を計算するために使用される。ここで、Ａはトランスポートブロックのサイズ（すなわち、情報ビットの数）であり、Ｌは、ＣＲＣパリティビットの数であり、これは、ＬＴＥ  Ｒｅｌ−８標準では１６に設定される。第２に、セルのアンテナポート構成に従って、ＣＲＣパリティビットが、アンテナポートの数ｎに対応する、長さ１６を有するシーケンスｘ０ｎ，ｘ１ｎ，・・・ｘ１５ｎによってスクランブルされ、ここで、ｎ＝１、２、又は４である。スクランブルの後、マスキングされたＣＲＣパリティビットは、ｃ０，ｃ１，・・・ｃ１５となり、ここで、ｃｉ＝（ｐｉ＋ｘｉｎ）ｍｏｄ２、ｉ＝０，１，・・・，１５である。ＬＴＥ標準による、３つのスクランブリングシーケンスとアンテナポートの数との間のマッピング関係を、以下のテーブル１に示す。
【００１０】
【表１】
0005300986.tif 000002
【００１１】
次に、マスキングされたＣＲＣパリティビットが、ＰＢＣＨのトランスポートブロックビットの末尾に添付されて、送信される情報ビットが、ａ０，ａ１，・・・ａＡ−１，ｃ０，ｃ１，・・・，ｃ１５として取得される。最後に、情報ビットａ０，ａ１，・・・ａＡ−１，ｃ０，ｃ１，・・・，ｃ１５に対して、チャネル符号化、レートマッチング、変調、及びリソースマッピングを含む、一連の操作が実行される。
【００１２】
１つのアンテナポートの場合、変調シンボルは、アンテナポート０上の予約されたリソースに直接マッピングされ、２つのアンテナポートの場合、空間周波数ブロック符号化（ＳＦＢＣ）として知られる送信ダイバーシチ方式が、変調シンボルに対して実行され、ＳＦＢＣの出力が、アンテナポート０及び１上の予約されたリソースにそれぞれマッピングされ、４つのアンテナポートの場合、周波数切り替え送信ダイバーシチ（ＦＳＴＤ）と組み合わされたＳＦＢＣが、変調シンボルに対して実行され、ＳＦＢＣ＋ＦＳＴＤの出力が、アンテナポート０、１、２、及び３上の予約されたリソースにそれぞれマッピングされる。上記の説明から、アンテナポートの数に関する情報は、ＰＢＣＨの中に暗黙的に埋め込まれるということがわかる。
【００１３】
受信側においては、アンテナポートの数を見出すための、対応する逆の操作が、セルにアクセスしているＵＥによって行われる。ＵＥは、アンテナポートの数に関する、３つの可能な仮説（すなわち、１つ、２つ、又は４つのアンテナポート）があることを認識しているため、ＵＥは、図１に示す、ＰＢＣＨのブラインド検出を実行する。ブラインド検出の手順における、ＳＦＢＣ又はＳＦＢＣ＋ＦＳＴＤ復号化、復調、チャネル復号化、及びＣＲＣ検出は全て標準的な操作であり、従って、それらの詳細についてはこれ以上説明せず、ＣＲＣマスクを除去する操作について、以下の開示において説明する。
【００１４】
チャネル復号化の出力が、
【００１５】
【数１】
0005300986.tif 000003
【００１６】
であると仮定すると、情報の最後の１６ビット
【００１７】
【数２】
0005300986.tif 000004
【００１８】
は、上述のように、アンテナポートの数に関する情報に対応するＣＲＣマスクを使用してスクランブルされた、ＣＲＣパリティビットである。ＰＢＣＨのブラインド検出が実行される場合、ＣＲＣパリティビットは、以下のようにして、仮定されたＣＲＣマスクを使用してスクランブル解除される（すなわち、ＣＲＣマスクが除去される）。
【００１９】
【数３】
0005300986.tif 000005
【００２０】
ここで、ｉ＝０、１、・・・、１５、
ｎは、アンテナポートの数、
ｘｉｎは、ｎ個のアンテナポートに対応する、定義されたＣＲＣマスク。
【００２１】
仮定されたＣＲＣマスクが、送信側において使用された実際のＣＲＣマスクと同じである場合、上記の操作によって、ＣＲＣパリティビット内に埋め込まれたＣＲＣマスクは完全に除去され、正しい検出の可能性が増加する。
【発明の概要】
【発明が解決しようとする課題】
【００２２】
上述のように、ＬＴＥ  Ｒｅｌ−８システムは、ＤＬ上で、最大４つのアンテナポートをサポートすることが可能である。リリース１０（Ｒｅｌ−１０）のＬＴＥ−アドバンスト（ＬＴＥ−Ａ）システムおよびそれ以降は、ピークデータレート、セル平均スペクトル効率などの、システム性能を更に増加させるために、最大８つのレイヤの伝送（Ｒｅｌ−１０より後のリリースでは、おそらく更に多くのレイヤ）をサポートしており（３ＧＰＰ  ＴＲ  ３６．８１４  ｖ１．０．０）、ＬＴＥシステムの拡張であることになっている。最大８つのレイヤの伝送をサポートするために、ＬＴＥ−Ａ通信システムにおいては、ＬＴＥ  Ｒｅｌ−８でサポートされるアンテナポートより多くのアンテナポートを定義しなくてはならない。
【００２３】
加えて、ＬＴＥ−Ａの後方互換性の要求を満たすために、ＬＴＥ−ＡセルがＬＴＥ  ＵＥにサービスを提供することも、依然として可能でなければならない。ＬＴＥ  ＵＥがＬＴＥ−Ａシステム内で動作することを可能にするために、ＬＴＥにおいて定義されるアンテナポートは、ＬＴＥ−Ａシステムにおいてもサポートされなければならない。すなわち、ｎ個の数のＬＴＥ  ＣＲＳが、ＬＴＥ−Ａシステム内にやはり存在しなければならず（ここで、ｎ＝１、２、又は４）、ＬＴＥ  ＵＥは、ＬＴＥシステムにおけるのと同様に、コヒーレント復調及びチャネル測定のためにＬＴＥ  ＣＲＳを使用する。同時に、ＬＴＥ−Ａ  ＵＥも、ＰＢＣＨ及び物理下りリンク制御チャネル（ＰＤＣＣＨ）などの、制御チャネルの復調のために、それらのＬＴＥ  ＣＲＳをやはり使用してもよい。
【００２４】
従って、ＬＴＥ−Ａシステムにおいては、ＬＴＥデータ／制御、及び／又は、ＬＴＥ−Ａ制御情報を送信するために使用される、複数のＬＴＥアンテナポートが存在する。加えて、ＬＴＥ−Ａデータ伝送をサポートするためにのみ使用される、複数の追加のアンテナポートを定義することも可能である。ＬＴＥ−Ａシステム内の全てのアンテナポートについて、新たに定義される追加のアンテナポートは、ＬＴＥ−Ａアンテナポートとして表される。また、ＬＴＥ−Ａアンテナポートの数は０であってもよい。従って、ＬＴＥ  ＵＥとＬＴＥ−Ａ  ＵＥとの両方にサービスを提供することが可能な通信システムが必要とされている。また、ＬＴＥ−Ａセル内で、ＬＴＥ及びＬＴＥ−Ａアンテナポートの数は異なっていてもよい。このため、ＬＴＥアンテナポートの数の受信においてトランスペアレントな（明瞭な）やり方で、ＬＴＥ−Ａ  ＵＥに、ＬＴＥ−Ａアンテナポートの存在をどのように通知するかという問題がある。
【００２５】
従って、ＬＴＥ−Ａ  ｅＮＢは、ＬＴＥ  ＣＲＳによって定義されるアンテナポート（すなわち、ｎ＝１、２、又は４）と比較して、測定及び／又は復調のための追加のＣＲＳ（アンテナポート）を有効にする必要があり得るということは明らかである。Ｒｅｌ−１０におけるＬＴＥ−Ａ  ＵＥの場合、最大８つの追加のアンテナポート（ＣＲＳ）が必要とされる可能性がある。それらの追加のＣＲＳは、チャネル状態情報−ＲＳ（Ｃｈａｎｎｅｌ  Ｓｔａｔｅ  Ｉｎｆｏｒｍａｔｉｏｎ−ＲＳ）（ＣＳＩ−ＲＳ）と表される。従って、ＬＴＥ  ＵＥにとってトランスペアレントなやり方で、ＬＴＥ−Ａ  ＵＥに、ＬＴＥ−Ａアンテナポートの数、又はＣＳＩ−ＲＳの数を、どのように通知するかということが、もう１つの問題である。
【００２６】
従って、ＬＴＥ  ＵＥがＬＴＥアンテナポートの数を取得することを可能にするための後方互換性があり、同時に、ＬＴＥ−Ａアンテナポートの通知が、ＬＴＥ  ＵＥにとってトランスペアレントでなければならない、通知方法が、当技術分野で必要とされている。
【課題を解決するための手段】
【００２７】
本発明の目的は、送信ノードが含むアンテナポートの数に関する情報を通知する、方法を提供することである。本発明の別の目的は、上述の後方互換性の問題を解決する、方法を提供することである。本発明の更に別の目的は、無線通信システム内での実施が簡単かつ容易な、上記の問題に対する解決方法を提供することである。
【００２８】
本発明の一態様によれば、送信ノードが含むアンテナポートの数を通知する、無線通信システムにおける方法によって、前述の目的が達成される。この方法によれば、前記送信ノードの少なくとも１つのアンテナポートの数に関する情報を運ぶ、通信信号が送信される。ここで、少なくとも１つのアンテナポートの前記数に関する情報は、分割され、前記通信信号の少なくとも２つの事前定義された部分にわたって分配される。
【００２９】
無線通信システムにおける、この方法の様々な実施形態が、従属請求項２〜１４において開示される。
【００３０】
本発明の別の態様によれば、送信ノードが含むアンテナポートの数を通知する、無線通信システム内の前記送信ノードにおける方法によって、前述の目的が達成される。この方法によれば、前記送信ノードは、前記送信ノードの少なくとも１つのアンテナポートの数に関する情報を運ぶ、通信信号を送信する。ここで、少なくとも１つのアンテナポートの前記数に関する情報は分割され、前記通信信号の少なくとも２つの事前定義された部分にわたって分配される。
【００３１】
本発明の上述の態様の一実施形態によれば、前記無線通信システムは、ＬＴＥ−Ａ通信システムであり、前記送信ノードは、基地局又は中継局である。
【００３２】
本発明の更に別の態様によれば、送信ノードが含むアンテナポートの数を示す信号を受信する、無線通信システム内の受信ノードにおける方法によって、前述の目的が達成される。この方法によれば、前記受信ノードは、前記送信ノードの少なくとも１つのアンテナポートの数に関する情報を運ぶ、通信信号を受信する。ここで、少なくとも１つのアンテナポートの前記数に関する情報は分割され、前記通信信号の少なくとも２つの事前定義された部分にわたって分配される。
【００３３】
本発明の上述の態様の一実施形態によれば、前記無線通信システムは、ＬＴＥ−Ａ通信システムであり、前記受信ノードは、ＵＥなどの、移動局である。
【００３４】
本発明の更に別の態様によれば、送信ノードが含むアンテナポートの数を通知する、前記送信ノードによって、前述の目的が達成される。前記送信ノードは、前記送信ノードの少なくとも１つのアンテナポートの数に関する情報を運ぶ、前記無線通信システム内の通信信号を、提供及び送信するように構成され、ここで、少なくとも１つのアンテナポートの前記数に関する情報は、分割され、前記通信信号の少なくとも２つの事前定義された部分にわたって分配される。
【００３５】
本発明の更に別の態様によれば、送信ノードが含むアンテナポートの数を示す信号を受信する、受信ノードによって、前述の目的が達成される。前記受信ノードは、前記送信ノードの少なくとも１つのアンテナポートの数に関する情報を運ぶ、通信信号を、受信及び処理するように構成される。ここで、少なくとも１つのアンテナポートの前記数に関する情報は、分割され、前記通信信号の少なくとも２つの事前定義された部分にわたって分配される。
【００３６】
送信ノード及び受信ノードは、上記の方法の様々な実施形態に従って、更に構成されてもよい。
【００３７】
本発明は、送信ノードが含むアンテナポートの数を通知する、代替の方法を提供する。本発明はまた、ＬＴＥ−Ａ  ＵＥが、送信ノード（例えば、ｅＮＢ、又は中継ノード）のアンテナポート構成に関する情報を、送信ノードとの通信を実行するために取得することを可能にし、同時に、ＬＴＥ−Ａ  ＵＥのための情報は、ＬＴＥ  ＵＥにとってトランスペアレントであり、ＬＴＥ  ＵＥに影響を与えない。従って、上述の後方互換性の問題に対する解決法も、本発明によって提供される。
【００３８】
本発明のその他の利点及び用途は、本発明の以下の詳細な説明から明らかになるであろう。
【００３９】
添付の図面は、本発明を明確にし、説明することを意図するものである。
【図面の簡単な説明】
【００４０】
【図１】ＬＴＥにおける、ＰＢＣＨのブラインド検出の手順を示す。
【図２】ＬＴＥアドバンスト（ＬＴＥ−Ａ）における、ＰＢＣＨのブラインド検出の手順を示す。
【図３】本発明による、例示的送信ノード装置の主要構成を示す。
【図４】本発明による、例示的受信ノード装置の主要構成を示す。
【発明を実施するための形態】
【００４１】
本発明は、送信ノードが含むアンテナポートの数に関する情報を通知する、無線通信における方法に関し、ここで、送信ノードは、基地局、ｅＮＢ、中継局、又は中継ノードであってもよい。本発明の一実施形態によれば、ＬＴＥ−Ａシステム内の、配置されたＤＬアンテナポートの数に関する情報は、タイプＩ及びタイプＩＩ情報に分類される。タイプＩ情報は、ＬＴＥアンテナポートの数を示し、タイプＩＩ情報は、ＬＴＥ−Ａ  ＣＳＩ−ＲＳによって定義されるアンテナポートの数を示す、又は、更に、ＬＴＥ  ＣＲＳとＬＴＥ−Ａ  ＣＳＩ−ＲＳとの両方によって定義されるアンテナポートの総数を示す。
【００４２】
従って、タイプＩ及びタイプＩＩ情報は、様々なタイプのアンテナポートの数に関する情報を示す。ＬＴＥ−Ａシステムにおいて、ＬＴＥ  ＵＥは、ＬＴＥアンテナポートの正確な数を認識するために、タイプＩ情報を受信する必要があるのみであり、次に、取得されたアンテナポート情報を使用して、ＬＴＥ−Ａ  ｅＮＢとの通信を実行する。一方、ＬＴＥ−Ａ  ＵＥは、様々な目的のために、タイプＩ及びタイプＩＩの両方の情報を受信する。すなわち、タイプＩ情報は、１つ以上の制御チャネルを復調するために使用され、タイプＩＩ情報は、高レイヤ伝送をサポートするための、チャネル測定のために使用される。
【００４３】
従って、送信ノードが含むアンテナポートの数を通知する、無線通信における方法が提示される。この方法によれば、送信ノードの少なくとも１つのアンテナポートの数に関する情報を運ぶ、通信信号が送信される。少なくとも１つのアンテナポートの数に関する情報は、分割され、通信信号の少なくとも２つの事前定義された部分にわたって分配される。
【００４４】
本発明によれば、通信信号は少なくとも１つの物理チャネル上で送信される複数のビットであり、アンテナポートの数に関する情報は少なくとも２つの部分に分割され、それらの部分は、通信信号の前記複数のビットのうちの様々な部分内に分配される。このようにして、アンテナポート情報は通信信号内に埋め込まれる、すなわち、通信信号はアンテナポート情報を運ぶ。通信信号の少なくとも１つの部分は、ＬＴＥ  ＵＥによって識別されなければならず、通信信号の少なくとも１つの別の部分は、ＬＴＥ  ＵＥにとってトランスペアレントでなければならない。これらの部分は、本発明の一実施形態では、それぞれ、通信信号の第１及び第２の所定の部分に対応する。
【００４５】
後方互換性をサポートし、ＬＴＥ−Ａセル内でのＬＴＥ  ＵＥのトランスペアレントな動作を達成するために、アンテナポートの数に関する情報の第１の分割された部分に対応するタイプＩ情報は、本発明の別の実施形態では、ＬＴＥセルにおけるのと同じ原理を使用して運ばれてもよく、この情報は、ＬＴＥ及びＬＴＥ−Ａ  ＵＥの両方にとって検出可能である。従って、タイプＩ情報は、タイプＩ情報に対応するＣＲＣマスクシーケンスを使用して、ＰＢＣＨ上を送信されるブロードキャストチャネル（ＢＣＨ）トランスポートブロックのＣＲＣビットをスクランブルすることを介して、暗黙的に送信され、ＰＢＣＨは、多くても４つのＬＴＥアンテナポートを使用して送信される。ここで、スクランブルされたＣＲＣビットを含むＢＣＨトランスポートブロックは、通信信号に対応し、スクランブルされたＣＲＣビットは、通信信号の第１の事前定義された部分に対応する。ＰＢＣＨを送信するためにいくつのアンテナポートが使用されるかに関する問題は、ＬＴＥ−Ａセル内のＬＴＥアンテナポートの構成に依存する。
【００４６】
タイプＩ情報を検出した後、ＬＴＥ  ＵＥは、そのセル内のアンテナポートの識別された数（１、２、又は４）に従って動作を継続する。しかし、ＬＴＥ−Ａ  ＵＥは、ＬＴＥ−Ａ  ＵＥが使用してもよい、配置されたアンテナポートの数に関する正確な情報を取得できる前に、アンテナポートの数に関する情報の、第２の分割された部分に対応するタイプＩＩ情報も復号化しなければならない。その理由は、ＬＴＥ−Ａ  ＵＥは、チャネル測定のために、ＬＴＥ−Ａ  ＣＳＩ−ＲＳによって定義されるアンテナポートの数を特定しなければならないからである。従って、タイプＩＩ情報はＬＴＥ−Ａ  ＵＥにとってのみ検出可能である。
【００４７】
ＬＴＥ  Ｒｅｌ−８システムにおいて、ＰＢＣＨ上で送信されるＢＣＨトランスポートブロックのサイズは２４ビットであり、将来の通信システムのために予約された１０の予備ビットがある。１０の予備ビットは０に設定される。１０の予備ビットは、後方／前方互換性を保証するために、ＬＴＥ  ＵＥによって無視される。すなわち、ＬＴＥ  ＵＥは、１０の予備ビット内に埋め込まれた情報の種類に関係なく１０の予備ビットの解釈を行わない。従って、１０の予備ビットのうちの１つ以上、又は１０ビットによって表される状態が、タイプＩＩ情報を示すために使用されてもよく、ＬＴＥ  ＵＥのＰＢＣＨ検出、及びＢＣＨ上の情報ビットの解釈に対する影響は何もない。ここで、ＢＣＨトランスポートブロック内の、１０の予備ビットのうちの１つ以上が、通信信号の第２の事前定義された部分に対応する。ＬＴＥ−Ａ  ＣＳＩ−ＲＳによって定義されるアンテナポートの数を示すために、いくつのビット又は状態が必要とされるかに関しては、ＬＴＥ−Ａ  ＣＳＩ−ＲＳの定義に依存する。ＬＴＥ−Ａ  ＵＥがＰＢＣＨを正常に検出した後、すなわち、ＣＲＣ検出が正しい場合、タイプＩ情報が取得される。次に、ＬＴＥ−Ａ  ＵＥは、ＰＢＣＨ上で送信されるＢＣＨトランスポートブロックの内容を更に検出して、タイプＩＩ情報を取得する。言い換えると、ＰＢＣＨが、ＬＴＥ−Ａ  ＵＥによって正しく検出された場合、それらのＬＴＥ−Ａ  ＵＥは、アンテナポートの正確な数を認識する。このようにして、ＬＴＥ  ＵＥ及びＬＴＥ−Ａ  ＵＥは、それぞれ、それらの所望のアンテナポート情報を取得することができる。この通知方法は、ＬＴＥ  ＵＥの性能に影響を与えず、従って、ＬＴＥ  ＵＥにとってトランスペアレントであり、すなわち、後方互換性の要求が達成される。
【００４８】
以下では、ＬＴＥ−Ａ  ＣＳＩ−ＲＳの定義、及びＬＴＥ  ＣＲＳとＬＴＥ−Ａ  ＣＳＩ−ＲＳとの間の関係に関する、本発明の更なる実施形態が開示される。
【００４９】
実施形態Ａ
ＬＴＥ−Ａ  ＵＥへの、ＬＴＥ−Ａ  ｅＮＢ（又は、基地局）による、サポートされるレイヤの最大数が８である場合、ＬＴＥ−Ａアンテナポートの数は８になる。８つのＬＴＥ−Ａアンテナポートは、８レイヤ伝送をサポートするための、チャネル測定のため、又は、チャネル測定及び復調の両方のために、８つのＬＴＥ−Ａ  ＣＳＩ−ＲＳによって定義される。更に、８つのＬＴＥ−Ａ  ＣＳＩ−ＲＳは、ＬＴＥ  ＣＲＳと無関係であり、ＬＴＥ  ＣＲＳによって定義されるＬＴＥアンテナポートの数は、構成可能であり得る。
【００５０】
ＬＴＥ−Ａセル内の、構成されるＬＴＥアンテナポートの数は、システムの実際の状況に基づいて、１、２、又は４であってもよい。例えば、ＬＴＥ−Ａシステムの初期段階においては、サポートされるべき、より多くのＬＴＥ  ＵＳが存在する可能性があり、従って、例えば、４つのＬＴＥアンテナポートが、ＬＴＥ  ＵＥをサポートするために構成されてもよく、システムの発展に伴い、又は時の経過に伴い、ＬＴＥ  ＵＥの代わりに、ますます多くのＬＴＥ−Ａ  ＵＥが、システム内に存在するようになる可能性があり、従って、この状況においては、ＲＳオーバヘッドを減少させるために、４つのＬＴＥアンテナポートを構成する必要はなくなる可能性がある。
【００５１】
ＬＴＥ−Ａ  ｅＮＢが、ＬＴＥ−Ａ  ＵＥのための、最大４レイヤの伝送をサポートする場合、ＬＴＥ−Ａアンテナポートの数は４となる。また、ＬＴＥアンテナポートの数は４である。この場合、新たなＬＴＥ−Ａ  ＣＳＩ−ＲＳは定義されず、ＬＴＥ−Ａ  ＵＥは、４つのＬＴＥアンテナポートを使用して、チャネル測定及び復調の両方を実行する。
【００５２】
ＬＴＥ−Ａ  ｅＮＢによる、ＬＴＥ−Ａ  ＵＥのための、最大のサポートされるレイヤが、１又は２である場合、最大４レイヤの伝送の場合と同様のアンテナポート構成となり、すなわち、ＬＴＥアンテナポートに加えての、新たなＬＴＥ−Ａ  ＣＳＩ−ＲＳは存在しない。この実施形態におけるアンテナポート構成の要約をテーブル１に示す。
【００５３】
【表２】
0005300986.tif 000006
【００５４】
テーブル１に基づけば、１ビット又は２状態が、タイプＩＩ情報を示すために使用されてもよい。すなわち、ＬＴＥ−Ａ  ＣＳＩ−ＲＳによって定義されるアンテナポートの数は、０又は８である。例えば、タイプＩＩは、１ビット情報である。ここで、「０」は、ＬＴＥ−Ａセル内にＬＴＥ−Ａ  ＣＳＩ−ＲＳが存在しないことを示してもよく、ＬＴＥ−Ａ  ＵＥは、チャネル測定及び復調のために、ＬＴＥアンテナポートを使用しなければならない。「１」は、タイプＩ情報によって示されるＬＴＥ  ＣＲＳの数に加えて、８つのＬＴＥ−Ａ  ＣＳＩ−ＲＳが存在することを示してもよい。
【００５５】
【表３】
0005300986.tif 000007
【００５６】
実施形態Ｂ
ＬＴＥ−Ａ  ｅＮＢによる、ＬＴＥ−Ａ  ＵＥのための、サポートされるレイヤの最大数が１、２、又は４である場合、アンテナポート構成は、上記の実施形態１におけるものと同じである。ＬＴＥ−Ａ  ｅＮＢによる、最大のサポートされるレイヤが８である場合、ＬＴＥアンテナポートの数はｎであると仮定される。ここで、ｎ＝１、２、又は４であり、新たに追加されるＬＴＥ−Ａ  ＣＳＩ−ＲＳは８−ｎである。ＬＴＥ−Ａ  ＵＥは、チャネル測定を行うために、ＬＴＥ  ＣＲＳとＬＴＥ−Ａ  ＣＳＩ−ＲＳとの組み合わせを（すなわち、８−ｎ個の数のＣＳＩ−ＲＳと、ｎ個の数のＬＴＥ  ＣＲＳとを）使用する。可能なアンテナポート構成の要約をテーブル２に示す。
【００５７】
【表４】
0005300986.tif 000008
【００５８】
この実施形態では、ＬＴＥ−Ａアンテナポートの数を示すための、２つの可能な解決法が存在する。選択肢１：２ビット又は４状態が、タイプＩＩ情報を表すために必要とされる。例えば、２ビット「００」、「０１」、「１０」、及び「１１」によって示されるタイプＩＩ情報が、それぞれ、ＬＴＥ−Ａ  ＣＳＩ−ＲＳの数が０、４、６、及び７であることを表し、これはテーブル２．１に示されている。
【００５９】
【表５】
0005300986.tif 000009
【００６０】
選択肢２：１ビットのみが、タイプＩＩ情報を示すために使用される。ＬＴＥアンテナポートの数ｎが検出された場合、ＬＴＥ−Ａアンテナポートの数は、２つの可能な値（すなわち、０、及び８−ｎ）のみを有する。これは、以下のテーブル２．２に示すように、１ビットによって示されてもよい。
【００６１】
【表６】
0005300986.tif 000010
【００６２】
実施形態Ｃ
ＬＴＥ−Ａ  ｅＮＢにおける、ＬＴＥ−Ａ  ＵＥのための、サポートされるレイヤの最大数がＮであり、構成されたＬＴＥアンテナポートの数がＭ（ここで、Ｍ＜＝Ｎ、及びＭ＝１、２、又は４）であると仮定する。Ｍ＜Ｎの場合、ＬＴＥ−Ａ  ＣＳＩ−ＲＳの数はＮとなる。それ以外の場合、０となる。このタイプのアンテナポート構成を、テーブル３に示す。
【００６３】
【表７】
0005300986.tif 000011
【００６４】
ＬＴＥ−Ａ  ＣＳＩ−ＲＳによって定義されるアンテナポートの数が０である場合、これは、ＬＴＥ−Ａ  ＵＥが、複数レイヤ伝送をサポートするために、チャネルを測定するために、ＬＴＥアンテナポートを使用する、ということを意味している。タイプＩＩ情報は、以下のテーブル３．１に示すように、２ビットを使用して符号化されてもよい。
【００６５】
【表８】
0005300986.tif 000012
【００６６】
３つの場合は、それぞれ、ＬＴＥアンテナポートの数が１、２、及び３［４］であることを表す。テーブル３．１内の記号「×」は、無効状態を示す。
【００６７】
実施形態Ｄ
上記の実施形態における仮定に従い、Ｍ＜Ｎの場合、ＬＴＥ−Ａ  ＣＳＩ−ＲＳの数はＮ−Ｍとなり、それ以外の場合、０となる。
【００６８】
【表９】
0005300986.tif 000013
【００６９】
ＬＴＥ−Ａ  ｅＮＢによる、ＬＴＥ−Ａ  ＵＥのための、最大のサポートされるレイヤが、ＬＴＥアンテナポートの数に等しい場合、ＬＴＥ−Ａ  ＣＳＩは定義されず、ＬＴＥ−Ａ  ＵＥは、チャネル測定及び復調のために、ＬＴＥアンテナポートを使用する。それ以外の場合、いくつかの追加のＬＴＥ−Ａ  ＣＳＩが定義され、ＬＴＥ  ＣＲＳと、ＬＴＥ−Ａ  ＣＳＩとの組み合わせが、チャネル測定のために、ＬＴＥ−Ａ  ＵＥによって使用される。この場合、ＬＴＥ−Ａアンテナポートは、ＬＴＥアンテナポートと、ＬＴＥ−Ａ  ＣＳＩによって定義されるアンテナポートとの両方を含む。タイプＩＩ情報は、テーブル４．１に示すように符号化されてもよい。
【００７０】
【表１０】
0005300986.tif 000014
【００７１】
タイプＩＩ情報の解釈は、異なる場合（すなわち、構成されたＬＴＥアンテナポートの数）に応じて、異なるということに留意されたい。ＬＴＥ−Ａ  ＵＥは、検出されたタイプＩ情報に応じて、タイプＩＩ情報を解釈する。
【００７２】
実施形態Ｅ
この実施形態における、上記の実施形態との唯一の違いは、ＬＴＥ−Ａ  ｅＮＢによってサポートされるレイヤの最大が８である場合、８個のＬＴＥ−Ａ  ＣＳＩが定義される、ということである。
【００７３】
【表１１】
0005300986.tif 000015
【００７４】
タイプＩＩ情報は、この実施形態では、２ビットの情報、又は４状態を使用して符号化されてもよい。この実施形態では、タイプＩＩ情報を表すために、１０の疎なＰＢＣＨビット（１０  ｓｐａｒｓｅ  ＰＢＣＨ  ｂｉｔｓ）の４状態が使用されると仮定する。
【００７５】
【表１２】
0005300986.tif 000016
【００７６】
実施形態Ｆ
ＬＴＥ  ＵＥの複数レイヤ伝送をサポートするために、この場合、ＬＴＥ−Ａ  ｅＮＢによる、最大のサポートされるレイヤに等しい、いくつかのＬＴＥ−Ａ  ＣＳＩが定義される。この原則に従う、２つの実施形態が存在する。
・８つのＬＴＥ−Ａ  ＣＳＩが存在する場合のみ、ＬＴＥアンテナポートの数は構成可能である。
・任意の数のＬＴＥ−Ａ  ＣＳＩに対して、ＬＴＥアンテナポートの数は構成可能である。
【００７７】
実施形態Ｆ１
テーブル６．１に示すアンテナポート構成を示すために、１ビットのタイプＩＩ情報が使用されてもよい。
【００７８】
【表１３】
0005300986.tif 000017
【００７９】
【表１４】
0005300986.tif 000018
【００８０】
実施形態Ｆ２
【００８１】
【表１５】
0005300986.tif 000019
【００８２】
本発明のこの実施形態では、タイプＩＩ情報は、２ビットとして符号化される。
【００８３】
【表１６】
0005300986.tif 000020
【００８４】
実施形態Ｇ
ＬＴＥ−Ａ  ｅＮＢによってサポートされる、ＬＴＥ−Ａ  ＵＥのためのレイヤの最大が、１（又は２）である場合、ＬＴＥ−Ａチャネル測定及び復調のために使用される、１つ（又は２つ）のＬＴＥアンテナポートが存在し、新たなＬＴＥ  ＣＳＩ−ＲＳは定義されない。以下のテーブルに示すように、ＬＴＥアンテナポートの数は構成可能であり、いくつかの新たなＬＴＥ−Ａ  ＣＳＩ−ＲＳが定義される。
【００８５】
【表１７】
0005300986.tif 000021
【００８６】
この場合、テーブル７．１に示すように、タイプＩＩ情報を表すには、３状態で十分である。
【００８７】
【表１８】
0005300986.tif 000022
【００８８】
ＬＴＥ−Ａ通信システム内で、送信ノードが含むアンテナポートの数に関する情報の伝送がどのように実施されてもよいかの例を、以下に示す（ここで、アンテナポート構成情報は、ＬＴＥ−Ａ  ＰＢＣＨを介して送信される）。ＬＴＥ−Ａ  ＰＢＣＨのブラインド検出を、図２に示す。
【００８９】
ＬＴＥ−Ａ  ＰＢＣＨの送信手順は、以下のステップを含む。
・ＬＴＥ−Ａ  ＰＢＣＨのトランスポートブロック全体ａ０，ａ１，・・・ａＡ−１（この中の、タイプＩＩ情報に対応する１つ以上の明示的ビットが、ＬＴＥ−Ａ  ＣＳＩ−ＲＳによって定義されるアンテナポートの数を示す）を使用して、ＣＲＣパリティビットｐ０，ｐ１，・・・ｐＬ−１を計算し、ここで、Ａ、及びＬは、それぞれ、トランスポートブロックサイズ、及びＣＲＣビットサイズの値である。
・計算されたＣＲＣパリティビットｐ０，ｐ１，・・・ｐＬ−１を、ＬＴＥアンテナポートの数に関するタイプＩ情報に対応するＣＲＣマスクｘ０ｎ，ｘ０ｎ，・・・ｘ１５ｎを使用してスクランブルする（すなわち、ｃｉ＝（ｐｉ＋ｘｉｎ）ｍｏｄ２、ｉ＝０，１，・・・，１５、ｎ＝１，２，又は４）。
・スクランブルされたＣＲＣ  ｃ０，ｃ１，・・・ｃ１５を、ＬＴＥ−Ａ  ＰＢＣＨ  ａ０，ａ１，・・・ａＡ−１に添付して、ａ０，ａ１，・・・ａＡ−１，ｃ０，ｃ１，・・・ｃ１５を取得する。
・情報ビットａ０，ａ１，・・・ａＡ−１，ｃ０，ｃ１，・・・ｃ１５に対して、チャネル符号化、レートマッチング、及び変調を実行する。
・ＬＴＥアンテナポートの数に応じた、ＳＦＢＣ又はＳＦＢＣ＋ＦＳＴＤなどの、空間符号化を、変調シンボルに対して実行する。
・上記のステップの出力を、複数のＬＴＥアンテナポート上の、ＰＢＣＨのための予約されたリソース上にマッピングする。
【００９０】
本発明の更に別の実施形態によれば、ＢＣＨトランスポートブロック内でタイプＩＩ情報を送信することに加えて、タイプＩＩ情報は、物理下りリンク共有チャネル（ＰＤＳＣＨ）などの、他のチャネル上で送信されてもよい。ダイナミックブロードキャストチャネル（ＤＢＣＨ）は、物理レイヤ上でＰＤＳＣＨ上にマッピングされる、別のタイプのブロードキャストトランスポートチャネルである。このタイプのＰＤＳＣＨは、事前定義されたサブフレーム内で送信され、セル内の全てのアクティブなＵＥは、このタイプのＰＤＳＣＨを受信して、ＰＢＣＨ上で運ばれるブロードキャスト情報に加えて、更なるシステム情報を取得する。ＬＴＥ−Ａシステムにおいては、いくつかの新たな情報ビットが、ＤＢＣＨ内に定義されてもよい。これは、ＬＴＥ−Ａ  ＵＥに対してのみ有効であり、例えば、ＤＢＣＨ内のいくつかのビットは、ＬＴＥ−Ａ  ＣＳＩ−ＲＳによって定義されるアンテナポートの数を示すために使用される。この場合、通信信号は、スクランブルされたＣＲＣビットを含む、ＢＣＨトランスポートブロックと、ＰＤＳＣＨ上にマッピングされたＤＢＣＨトランスポートブロックとに、合わせて対応し、通信信号の第１、及び第２の事前定義された部分は、それぞれ、ＢＣＨの、スクランブルされたＣＲＣビット、及びＤＢＣＨトランスポートブロックの情報ビットに対応する。
【００９１】
ＬＴＥ−Ａ  ＵＥは、ＬＴＥ−Ａアンテナポートの数を取得する前には、ＰＢＣＨを検出することを介して、ＬＴＥアンテナポートの数を認識することができるのみである。ＰＤＳＣＨ（その上に、タイプＩＩ情報を含むＤＢＣＨがマッピングされている）を検出するために、このＰＤＳＣＨは、タイプＩ情報によって示された、構成されたＬＴＥアンテナポート上で送信されなければならない。さもなければ、ＬＴＥ−Ａ  ＵＥはＰＤＳＣＨを検出することができない。従って、手順は、ＬＴＥ−Ａ  ＵＥが、最初に、ＰＢＣＨを検出して、ＬＴＥアンテナポートの数を入手し、次に、事前定義されたサブフレームを調べて、ＤＢＣＨ情報を運ぶ特別なＰＤＳＣＨを検出する、というものである。ＰＤＳＣＨの検出の後、ＬＴＥ−Ａ  ＵＥは、ＬＴＥ−Ａアンテナポートの数を取得し、次に、ＬＴＥ−Ａモードに切り替えることができる。
【００９２】
本発明はまた、上記の方法の様々な実施形態に従って構成された、送信ノード装置、及び受信ノード装置に関する。
【００９３】
図６は、本発明による無線通信システムのための、例示的送信ノード装置（６０１）の原理構成を示す。送信ノード装置は、１つ以上のアンテナ（６０２〜６０５）を介した通信信号の伝送のための、１つ以上のアンテナポートを有する、伝送回路（６０１、６０６）を含む。伝送に先立って、複数のアンテナポート上で情報を運ぶ信号は、処理回路（６０１、６０７）内で処理される。様々な信号部分は、好ましくは、処理回路部分（６０７）内に含まれる、又は処理回路部分（６０７）に接続された、装置（６０１）のメモリ装置内で事前定義される。処理回路は、アンテナポートの総数に関する情報を分割し、分割された情報を、送信される通信信号の２つ以上の事前定義された部分内で分配するためのモジュールを含み、事前定義された部分は、好ましくは、メモリ回路内に記憶されている。本発明の一実施形態によれば、送信ノードは、好ましくは、基地局（ｅＮＢ）又は中継ノードである。
【００９４】
図７は、本発明による無線通信システムのための、例示的受信ノード装置（７０１）の原理図を示す。受信ノード装置は、１つ以上のアンテナ（７０２、７０３）に接続された、受信回路（７０４）を含む。受信回路は、通信信号の受信のための電子回路を含む。受信装置（７０１）は、受信回路（７０４）を介して提供された受信信号に対して動作する処理回路（７０５）を含む。処理回路は、例えば基地局から送信された、受信された通信信号の、２つ以上の事前定義された部分から、好ましくは受信装置のメモリ回路内に記憶されている、事前定義された部分を判定するためのモジュールを含む。処理回路の電子回路は、通信信号の少なくとも第２の部分から、適用される伝送アンテナポートの総数を判定する。必要に応じて、通信信号の事前定義された第１の部分も、後続の信号処理のために適用されるアンテナポートの数を判定するために処理される。本発明の一実施形態によれば、送信ノードは、好ましくは、ＵＥなどの、移動局である。
【００９５】
更に、当業者によって理解されるように、本発明による、アンテナポートの数を通知する方法は、コンピュータ内で実行された場合に、この方法のステップをコンピュータに実行させるコード手段を有する、コンピュータプログラム内で実施されてもよい。コンピュータプログラムは、コンピュータプログラム製品の、コンピュータ読み取り可能な媒体内に含まれる。コンピュータ読み取り可能な媒体は、ＲＯＭ（読み出し専用メモリ）、ＰＲＯＭ（プログラマブル読み出し専用メモリ）、ＥＰＲＯＭ（消去可能ＰＲＯＭ）、フラッシュメモリ、ＥＥＰＲＯＭ（電気的消去可能ＰＲＯＭ）、又はハードディスクドライブなどの、任意のメモリから本質的になってもよい。
【００９６】
本発明は、上述の実施形態に限定されるものではなく、添付の独立請求項の範囲内の全ての実施形態に関し、かつそれらを含むものである、ということも理解されたい。
【図１】
0005300986.tif 000023
【図２】
0005300986.tif 000024
【図３】
0005300986.tif 000025
【図４】
0005300986.tif 000026